(57)【要約】【課題】  車載バッテリーのバッテリー上がりの可能性を低減する。【解決手段】  電源制御装置２は、アクセサリスイッチがオフ状態になったと判定し（Ｓ３００でＹＥＳと判定）、かつ、第１の電圧判定手段によって電源ラインＡの電圧が第１の閾値電圧以下であると判定した場合（Ｓ３１８でＹＥＳと判定）、電源ラインＡからオーディオ・レコーダ３への電源供給を強制停止する（Ｓ３１４）。【選択図】        図４
2005349900.tif 000002
【特許請求の範囲】
【請求項１】
電源ラインから車載電子機器への電源供給を制御する電源制御装置であって、
前記電源ラインに接続されたアクセサリスイッチのオン、オフ状態を判定するスイッチ状態判定手段（Ｓ３００）と、
前記電源ラインの電圧が第１の閾値電圧以下であるか否かを判定する第１の電圧判定手段（Ｓ３１８）と、
前記スイッチ状態判定手段によって前記アクセサリスイッチがオフ状態になったと判定され、かつ、前記第１の電圧判定手段によって前記電源ラインの電圧が前記第１の閾値電圧以下であると判定された場合、前記電源ラインから前記車載電子機器への電源供給を強制停止する電源供給停止手段（Ｓ３１４）と、を備えたことを特徴とする電源制御装置。
【請求項２】
前記車載電子機器は、一連の処理を終了することによって所定の機能を実現するようになっており、
前記一連の処理が終了したか否かを判定する判定手段（Ｓ３０２）と、
前記電源ラインの電圧が前記第１の閾値電圧よりも大きな第２の閾値電圧以下であるか否かを判定する第２の閾値電圧判定手段（Ｓ３０４）と、を備え、
前記スイッチ状態判定手段によって前記アクセサリスイッチがオフ状態になったと判定され、かつ、前記第２の電圧判定手段によって前記電源ラインの電圧が前記第２の閾値電圧よりも大きいと判定された場合、前記電源供給停止手段は、前記判定手段によって前記一連の処理が終了したと判定されるまで前記車載電子機器への電源供給を継続し、前記判定手段によって前記一連の処理が終了したと判定された場合、前記車載電子機器への電源供給を停止することを特徴とする請求項１に記載の電源制御装置。
【請求項３】
前記一連の処理を停止させる操作があるか否かを判定する停止操作判定手段（Ｓ３０８、Ｓ３１０）と、
前記スイッチ状態判定手段によって前記アクセサリスイッチがオフ状態になったと判定され、かつ、前記第２の電圧判定手段によって前記電源ラインの電圧が前記第２の閾値電圧以下であると判定され、かつ、前記停止操作判定手段によって前記一連の処理を停止させる操作があると判定された場合、前記一連の処理を停止させる停止手段（３１２）と、を備えたことを特徴とする請求項２に記載の電源制御装置。
【請求項４】
前記一連の処理を継続させる操作があるか否かを判定する継続操作判定手段（３０８、Ｓ３１０）と、
前記スイッチ状態判定手段によって前記アクセサリスイッチがオフ状態になったと判定され、かつ、前記第２の電圧判定手段によって前記電源ラインの電圧が前記第２の閾値電圧以下であると判定され、かつ、前記継続操作判定手段によって前記一連の処理を継続させる操作があると判定された場合、前記電源ラインからの電源供給から前記電源ラインと別に設けられたバックアップ電源からの電源供給に切り替える切替手段（Ｓ３１６）と、を備えたことを特徴とする請求項２または３に記載の電源制御装置。
【請求項５】
前記電源ラインに接続されたイグニッションスイッチのオン、オフ状態を判定するイグニッションスイッチ状態判定手段（Ｓ４００）を備え、
前記イグニッションスイッチ状態判定手段によって前記イグニッションスイッチがオン状態であると判定され、かつ、前記第２の電圧判定手段によって前記電源ラインの電圧が第２の閾値電圧よりも大きいと判定された場合、前記切替手段は、前記車載電子機器への電源を前記電源ラインから供給する（Ｓ４０４）ことを特徴とする請求項４に記載の電源制御装置。
【発明の詳細な説明】
【技術分野】
【０００１】
本発明は、電源ラインから車載電子機器への電源供給を制御する電源制御装置に関する。
【背景技術】
【０００２】
一般的に、車両に搭載される車載電子機器は、車載バッテリー保護のため、アクセサリスイッチがオフ状態の場合には車載バッテリーからの電源供給が停止されるようになっている。したがって、アクセサリスイッチがオフ状態になると、車載バッテリーから車載電子機器への電源供給が停止され、車載電子機器は強制的に動作を停止する。
【０００３】
例えば、車載オーディオ装置にはＣＤ−ＲＯＭに記憶された音楽データをハードディスクに録音（ダビング）する機能を備えたものがあるが、このような車載オーディオ装置は、アクセサリスイッチがオフ状態になると、録音の途中であっても動作が停止されてしまい、それまでの処理が無駄になってしまう。
【０００４】
このような不具合に対処するため、車載バッテリーから車載電子機器のマイコンへ電源を供給する回路を設けて、アクセサリスイッチがオフされた場合でも、車載バッテリーから車載電子機器への給電を完全に切断しないようにしたものが提案されている（例えば、特許文献１参照）。
【０００５】
また、アクセサリスイッチがオフされた場合でも、ハードディスクドライバのように動作中に電源の供給が停止されると故障する可能性のある車載電子機器への電源供給を、故障の可能性がない状態となるまで継続させるように制御するものがある（例えば、特許文献２参照）。
【特許文献１】特開平１０−３３６８９２号公報
【特許文献２】特開平１５−１５４９０５号公報
【発明の開示】
【発明が解決しようとする課題】
【０００６】
しかし、このような車載電子機器は、アクセサリスイッチがオフされた状態、すなわち、車載バッテリーが充電されないまま電源が供給されるため、このような状態が長時間継続すると、車載バッテリーの電圧が徐々に低下してバッテリー上がりの可能性が高くなってしまうといった問題が考えられる。
【０００７】
本発明は上記問題に鑑みたもので、車載バッテリーのバッテリー上がりの可能性を低減することを目的とする。
【課題を解決するための手段】
【０００８】
上記目的を達成するため、請求項１に記載の発明では、電源ラインから車載電子機器への電源供給を制御する電源制御装置であって、電源ラインに接続されたアクセサリスイッチのオン、オフ状態を判定するスイッチ状態判定手段（Ｓ３００）と、電源ラインの電圧が第１の閾値電圧以下であるか否かを判定する第１の電圧判定手段（Ｓ３１８）と、スイッチ状態判定手段によってアクセサリスイッチがオフ状態になったと判定され、かつ、第１の電圧判定手段によって電源ラインの電圧が第１の閾値電圧以下であると判定された場合、電源ラインから車載電子機器への電源供給を強制停止する電源供給停止手段（Ｓ３１４）と、を備えたことを特徴としている。
【０００９】
このように、電源供給停止手段は、スイッチ状態判定手段によってアクセサリスイッチがオフ状態になったと判定され、かつ、第１の電圧判定手段によって電源ラインの電圧が第１の閾値電圧以下であると判定された場合、電源ラインから車載電子機器への電源供給を強制停止するので、車載バッテリーのバッテリー上がりの可能性を低減することができる。
【００１０】
また、請求項２に記載の発明では、請求項１に記載の発明において、車載電子機器は、一連の処理を終了することによって所定の機能を実現するようになっており、
一連の処理が終了したか否かを判定する判定手段（Ｓ３０２）と、
電源ラインの電圧が第１の閾値電圧よりも大きな第２の閾値電圧以下であるか否かを判定する第２の閾値電圧判定手段（Ｓ３０４）と、を備え、スイッチ状態判定手段によってアクセサリスイッチがオフ状態になったと判定され、かつ、第２の電圧判定手段によって電源ラインの電圧が第２の閾値電圧よりも大きいと判定された場合、電源供給停止手段は、判定手段によって一連の処理が終了したと判定されるまで車載電子機器への電源供給を継続し、判定手段によって一連の処理が終了したと判定された場合、車載電子機器への電源供給を停止することを特徴としている。
【００１１】
このように、スイッチ状態判定手段によってアクセサリスイッチがオフ状態になったと判定され、かつ、第２の電圧判定手段によって電源ラインの電圧が第２の閾値電圧よりも大きいと判定された場合、電源供給停止手段は、判定手段によって一連の処理が終了したと判定されるまで車載電子機器への電源供給を継続し、判定手段によって一連の処理が終了したと判定された場合、車載電子機器への電源供給を停止することができる。
【００１２】
また、請求項３に記載の発明では、請求項２に記載の発明において、一連の処理を停止させる操作があるか否かを判定する停止操作判定手段（Ｓ３０８、Ｓ３１０）と、スイッチ状態判定手段によってアクセサリスイッチがオフ状態になったと判定され、かつ、第２の電圧判定手段によって電源ラインの電圧が第２の閾値電圧以下であると判定され、かつ、停止操作判定手段によって一連の処理を停止させる操作があると判定された場合、一連の処理を停止させる停止手段（３１２）と、を備えたことを特徴としている。
【００１３】
このように、停止手段は、スイッチ状態判定手段によってアクセサリスイッチがオフ状態になったと判定され、かつ、第２の電圧判定手段によって電源ラインの電圧が第２の閾値電圧以下であると判定され、かつ、停止操作判定手段によって一連の処理を停止させる操作があると判定された場合、一連の処理を停止させることができる。
【００１４】
また、請求項４に記載の発明では、請求項２または３に記載の発明において、一連の処理を継続させる操作があるか否かを判定する継続操作判定手段（３０８、Ｓ３１０）と、スイッチ状態判定手段によってアクセサリスイッチがオフ状態になったと判定され、かつ、第２の電圧判定手段によって電源ラインの電圧が第２の閾値電圧以下であると判定され、かつ、継続操作判定手段によって一連の処理を継続させる操作があると判定された場合、電源ラインからの電源供給から電源ラインと別に設けられたバックアップ電源からの電源供給に切り替える切替手段（Ｓ３１６）と、を備えたことを特徴としている。
【００１５】
このように、切替手段は、スイッチ状態判定手段によってアクセサリスイッチがオフ状態になったと判定され、かつ、第２の電圧判定手段によって電源ラインの電圧が第２の閾値電圧以下であると判定され、かつ、継続操作判定手段によって一連の処理を継続させる操作があると判定された場合、電源ラインからの電源供給から電源ラインと別に設けられたバックアップ電源からの電源供給に切り替えることができる。
【００１６】
また、請求項５に記載の発明では、請求項４に記載の発明において、電源ラインに接続されたイグニッションスイッチのオン、オフ状態を判定するイグニッションスイッチ状態判定手段（Ｓ４００）を備え、イグニッションスイッチ状態判定手段によってイグニッションスイッチがオン状態であると判定され、かつ、第２の電圧判定手段によって電源ラインの電圧が第２の閾値電圧よりも大きいと判定された場合、切替手段は、車載電子機器への電源を電源ラインから供給する（Ｓ４０４）ことを特徴としている。
【００１７】
このように、電源ラインに接続されたイグニッションスイッチのオン、オフ状態を判定するイグニッションスイッチ状態判定手段（Ｓ４００）を備え、イグニッションスイッチ状態判定手段によってイグニッションスイッチがオン状態であると判定され、かつ、第２の電圧判定手段によって電源ラインの電圧が第２の閾値電圧よりも大きいと判定された場合、切替手段は、車載電子機器への電源を電源ラインから供給することができる。
【００１８】
なお、上記各手段の括弧内の符号は、後述する実施形態に記載の具体的手段との対応関係を示すものである。
【発明を実施するための最良の形態】
【００１９】
本発明の一実施形態に係る電源制御装置の概略構成を図１に示す。電源制御装置２は、音響装置３１と記憶装置３２によって構成されるオーディオ・レコーダ３とともに車載オーディオ機器１を構成している。
【００２０】
音響装置３１は、ＣＤ−ＲＯＭやＤＶＤ−ＲＯＭ等の読み取り装置（図示せず）から音楽データや画像データを読み出し、音楽データや画像データに応じた情報をスピーカやディスプレイ（いずれも図示せず）から出力させる。また、音響装置３１は、ＣＤ−ＲＯＭやＤＶＤ−ＲＯＭ等の読み取り装置から読み出した音楽データや画像データを記憶装置３２に記憶する録音機能を備えている。
【００２１】
記憶装置３２は、ハードディスク等の記憶装置により構成され、音響装置３からの制御に応じて音楽データや画像データ等を記憶する。
【００２２】
なお、音響装置３１は、音楽データや画像データを記憶装置３２に録音する際には、ユーザの操作によって設定された録音曲（１曲でも複数でもよい）の全ての録音が終了するまで一連の処理を行い、全ての処理を終了することによって録音機能を終了するようになっている。また、音響装置３１は、一連の録音処理を終了すると録音が終了したことを示す信号を電源制御装置２に出力するようになっている。
【００２３】
電源制御装置２は、一般的なマイクロコンピュータ、リレー回路等を備え、音響装置３１、発音装置７、操作スイッチ群８、表示装置９と各種情報のやりとりを行う。
【００２４】
電源制御装置２は、車載バッテリーとしての電源装置（＋Ｂ）５に接続された電源ラインＡとともに、この電源ラインＡと別に設けられたバックアップ電源としての２次電池６に接続されている。なお、イグニッションスイッチがオンされエンジン（図示せず）が回転を始めると、このエンジンの回転によって発電機（図示せず）は発電を開始する。そして、この発電機によって発電された電力は、電源装置（＋Ｂ）５と２次電池６にそれぞれ蓄電される。また、イグニッションスイッチがオフされるとエンジンは停止し、発電機は発電を停止するようになっている。
【００２５】
また、電源制御装置２には、車両装置（図示せず）からアクセサリスイッチのオフ状態を示す信号（ＡＣＣ  ＯＦＦ信号）、イグニッションスイッチのオン状態を示す信号（ＩＧ  ＯＮ信号）および電源装置（＋Ｂ）５のバッテリー電圧（残バッテリー電圧）を示す信号が入力されるようになっている。
【００２６】
電源制御装置２は、アクセサリスイッチのオフ状態を示す信号（ＡＣＣ  ＯＦＦ信号）、イグニッションスイッチのオン状態を示す信号（ＩＧ  ＯＮ信号）等に基づいて、電源装置（＋Ｂ）５に接続された電源ラインＡから車載電子機器としてのオーディオ・レコーダ３への電源供給を制御する。また、電源制御装置２は、上記リレー回路の制御により、電源ラインＡからの電源供給と２次電池６からの電源供給を切り替えることができる。
【００２７】
発音装置７は、スピーカにより構成され、電源制御装置２から入力される信号に応じてビープ音を発生させる。
【００２８】
操作スイッチ群８は、複数の操作スイッチ（再生ボタン、録音開始ボタン、録音停止ボタン、録音継続ボタン、等）を備え、これらの操作スイッチの操作に応じた信号を電源制御装置２に出力する。
【００２９】
表示装置９は、液晶ディスプレイ等の表示面を備え、電源制御装置２からの信号に応じて液晶ディスプレイ等の表示面に文字や画像を表示する。
【００３０】
上記した構成において、通常、電源装置（＋Ｂ）５からオーディオ・レコーダ３に電源が供給される。そして、ユーザによる操作スイッチ群８の録音開始ボタンの押下に基づき、操作スイッチ群８から電源制御装置２に録音開始を指示する信号が入力されると、電源制御装置２は音響装置３１に録音開始を指示し、音響装置３１は記憶装置３２への録音を開始する。
【００３１】
次に、図２を参照して、録音中にアクセサリスイッチがオフされた後、ユーザにより録音停止ボタンが押下された場合の作動について説明する。
【００３２】
まず、電源装置（＋Ｂ）５から電源制御装置２にアクセサリスイッチのオフ状態を示す信号（ＡＣＣ  ＯＦＦ信号）が入力されると、電源制御装置２は、電源装置（＋Ｂ）５からオーディオ・レコーダ３への電源供給を継続する（１００）。
【００３３】
次に、電源制御装置２は、電源装置（＋Ｂ）５から入力される電源装置（＋Ｂ）５のバッテリー電圧を示す信号に基づいて電源装置（＋Ｂ）５のバッテリー電圧が８Ｖ以下であると判定すると（１０２）、電源制御装置２は、表示装置９の画面に「バッテリー電圧が低下しています。」といったバッテリー警告を表示させるとともに（１０４）、発音装置７へバッテリー警告を示す信号を出力して発音装置７からビープ（ＢＥＥＰ）音を発生させる（１０６）。
【００３４】
そして、ユーザが操作スイッチ群８の録音停止ボタンを押下すると（１０８）、電源制御装置２には、操作スイッチ群８から録音停止を指示する信号が入力される（１１０）。
【００３５】
電源制御装置２は、操作スイッチ群８から録音停止を指示する信号が入力されると、音響装置３１に録音停止を指示する信号を出力するとともに（１１２）、電源装置（＋Ｂ）５からオーディオ・レコーダ３への電源供給を切断（停止）する。なお、音響装置３１は、電源制御装置２からの録音停止を指示する信号に基づいて録音を停止する。
【００３６】
次に、図３を参照して、録音中にアクセサリスイッチがオフされた後、ユーザにより録音継続ボタンが押下された場合の作動について説明する。
【００３７】
まず、電源装置（＋Ｂ）５から電源制御装置２にアクセサリスイッチのオフ状態を示す信号（ＡＣＣ  ＯＦＦ信号）が入力されると、電源制御装置２は、電源装置（＋Ｂ）５からオーディオ・レコーダ３への電源供給を継続する（２００）。
【００３８】
次に、電源制御装置２は、電源装置（＋Ｂ）５から入力される電源装置（＋Ｂ）５のバッテリー電圧を示す信号に基づいて電源装置（＋Ｂ）５のバッテリー電圧（残バッテリー電圧）が８Ｖ以下であると判定すると（２０２）、電源制御装置２は、表示装置９の画面に「バッテリー電圧が低下しています。」といったバッテリー警告の表示を行うとともに（２０４）、発音装置７へバッテリー警告を示す信号を出力して発音装置７からビープ（ＢＥＥＰ）音を発生させる（２０６）。
【００３９】
そして、ユーザが操作スイッチ群８の録音継続ボタンを押下すると（１０８）、電源制御装置２には、操作スイッチ群８から録音継続を指示する信号が入力される（２１０）。
【００４０】
電源制御装置２は、操作スイッチ群８から録音継続を指示する信号が入力されると、電源装置（＋Ｂ）５からオーディオ・レコーダ３への電源供給を２次電池６からオーディオ・レコーダ３への電源供給へ切り替える。
【００４１】
次に、エンジンのオンを示す信号が車両装置に入力されると、車両装置から電源制御装置２にイグニッションスイッチのオン状態を示す信号（ＩＧ  ＯＮ信号）が入力される。
【００４２】
電源制御装置２は、車両装置からイグニッションスイッチのオン状態を示す信号（ＩＧ  ＯＮ信号）が入力され（２１２）、かつ、車両装置から入力される電源装置（＋Ｂ）５のバッテリー電圧を示す信号に基づいて電源装置（＋Ｂ）５のバッテリー電圧（残バッテリー電圧）が８Ｖよりも大きいと判定した場合（２１４）、電源制御装置２は、２次電池６からオーディオ・レコーダ３への電源供給を電源装置（＋Ｂ）５からオーディオ・レコーダ３への電源供給に切り替える。
【００４３】
次に、録音中における電源制御装置２の処理について説明する。図４は、録音中における電源制御装置２のフローチャートである。
【００４４】
ユーザによる操作スイッチ群８の録音開始ボタンの押下に基づき、操作スイッチ群８から電源制御装置２に録音開始を指示する信号が入力されると、電源制御装置２は音響装置３１に録音開始を指示し、音響装置３１は記憶装置３２への録音を開始する。
【００４５】
電源制御装置２は、音響装置３１から記憶装置３２への録音が開始されると、図４に示す処理を開始する。
【００４６】
まず、アクセサリスイッチのオフ状態を示す信号（ＡＣＣ  ＯＦＦ信号）に基づいてアクセサリスイッチがオフしたか否かを検知し、アクセサリスイッチがオフしたか否かを判定する。具体的には、ＡＣＣ  ＯＦＦ信号が入力された場合、アクセサリスイッチがオフしたと判定し、ＡＣＣ  ＯＦＦ信号が入力されない場合、アクセサリスイッチがオフしていないと判定する（Ｓ３００）。
【００４７】
ここで、アクセサリスイッチがオフしていないと判定した場合（Ｓ３００でＮＯと判定）、Ｓ３００の判定を繰り返す。
【００４８】
また、Ｓ３００において、アクセサリスイッチがオフしたと判定した場合（Ｓ３００でＹＥＳと判定）、音響装置３１に録音停止を指示する信号を出力したか否かに基づき、音響装置３１から録音を終了したことを示す信号が入力されたか否かに基づき、録音動作中であるか否かを判定する（Ｓ３０２）。
【００４９】
ここで、音響装置３１から録音を終了したことを示す信号が入力された場合、録音動作中でないと判定し（Ｓ３０２でＮＯと判定）、電源装置（＋Ｂ）５に接続された電源ラインＡからオーディオ・レコーダ３への電源供給を停止させ（Ｓ３１４）、本処理を終了する。
【００５０】
また、Ｓ３０２において音響装置３１から録音を終了したことを示す信号が入力されない場合、録音動作中と判定し（Ｓ３０２でＹＥＳと判定）、電源装置（＋Ｂ）５のバッテリー電圧を示す信号に基づき、電源装置（＋Ｂ）５のバッテリー電圧（残バッテリー電圧）が８Ｖ以下であるか否かを判定する（Ｓ３０４）。
【００５１】
ここで、電源装置（＋Ｂ）５のバッテリー電圧を示す信号が８Ｖよりも大きい場合、電源装置（＋Ｂ）５のバッテリー電圧が８Ｖ以下でないと判定し（Ｓ３０４でＮＯと判定）、Ｓ３０２の判定へ戻る。
【００５２】
また、Ｓ３０４において、電源装置（＋Ｂ）５のバッテリー電圧を示す信号が８Ｖ以下の場合、電源装置（＋Ｂ）５のバッテリー電圧が８Ｖ以下であると判定し（Ｓ３０４でＹＥＳと判定）、表示装置９の画面に「バッテリー電圧が低下しています。」といったバッテリー警告の表示を行わせるとともに、発音装置７からバッテリー警告を示すビープ音を発生させる（Ｓ３０６）。
【００５３】
次に、操作スイッチ群８から録音停止を指示する信号または録音継続を指示する信号が入力されるか否かに基づき、ユーザ要求があるか否かを判定する（Ｓ３０８）。
【００５４】
ここで、録音停止を指示する信号または録音継続を指示する信号が入力された場合、ユーザ要求があると判定し（Ｓ３０８でＹＥＳと判定）する。
【００５５】
次に、要求種別が停止であるか継続であるかを判定する。具体的には、操作スイッチ群８から録音停止を指示する信号が入力された場合には、要求種別が停止であると判定し、操作スイッチ群８から録音継続を指示する信号が入力された場合には、要求種別が継続であると判定する（Ｓ３１０）。
【００５６】
ここで、要求種別が停止であると判定した場合（Ｓ３１０で停止と判定）、音響装置３１に録音停止を指示する信号を出力して録音を停止させ（Ｓ３１２）、オーディオ・レコーダ３への電源供給を停止させ（Ｓ３１４）、本処理を終了する。
【００５７】
また、Ｓ３１０において、要求種別が継続であると判定した場合（Ｓ３１０で継続と判定）、電源装置（＋Ｂ）５からオーディオ・レコーダ３への電源供給を２次電池６からオーディオ・レコーダ３への電源供給に切り替え（Ｓ３１６）、Ｓ３１４の処理へ進む。
【００５８】
また、Ｓ３０８において、録音停止を指示する信号または録音継続を指示する信号が入力されない場合、ユーザ要求がないと判定し（Ｓ３０８でＮＯと判定）、電源装置（＋Ｂ）５のバッテリー電圧を示す信号に基づいて、電源装置（＋Ｂ）５のバッテリー電圧が６Ｖ以下であるか否かを判定する（Ｓ３１８）。
【００５９】
ここで、電源装置（＋Ｂ）５のバッテリー電圧が６Ｖ以下であると判定した場合（Ｓ３１８でＹＥＳと判定）、Ｓ３１４へ進む。
【００６０】
また、Ｓ３１８において、電源装置（＋Ｂ）５のバッテリー電圧が６Ｖよりも大きいと判定した場合（Ｓ３１８でＮＯと判定）、Ｓ３０８の判定へ戻る。
【００６１】
上記したように、電源制御装置２は、Ｓ３１６において、電源装置（＋Ｂ）５からオーディオ・レコーダ３への電源供給を２次電池６からオーディオ・レコーダ３への電源供給に切り替えるようになっている。このように、２次電池６からの電源供給に切り替えた場合、電源装置（＋Ｂ）５は、電源装置（＋Ｂ）５のバッテリー電圧が回復したか否かを判定し、再度、電源装置（＋Ｂ）５からの電源供給に切り替える処理を行う。
【００６２】
次に、電源制御装置２による電源装置（＋Ｂ）５からの電源供給に切り替える処理について説明する。図５は、電源装置（＋Ｂ）５からの電源供給に切り替える処理を示すフローチャートである。電源制御装置２は、図５に示す処理を繰り返し行う。
【００６３】
まず、イグニッションスイッチのオン状態を示す信号（ＩＧ  ＯＮ信号）に基づいてイグニッションスイッチがオンしたか否かを検知し、アクセサリスイッチがオフしたか否かを判定する。具体的には、ＩＧ  ＯＮ信号が入力された場合、イグニッションスイッチがオンしたと判定し、ＩＧ  ＯＮ信号が入力されない場合、イグニッションスイッチがオンしていないと判定する（Ｓ４００）。
【００６４】
ここで、イグニッションスイッチがオンしていないと判定した場合（Ｓ４００でＮＯと判定）、Ｓ４００の判定へ戻る。
【００６５】
また、Ｓ４００において、イグニッションスイッチがオンしたと判定した場合（Ｓ４００でＹＥＳと判定）、電源装置（＋Ｂ）５のバッテリー電圧を示す信号に基づき、電源装置（＋Ｂ）５のバッテリー電圧（残バッテリー電圧）が８Ｖ以下であるか否かを判定する（Ｓ４０２）。
【００６６】
ここで、電源装置（＋Ｂ）５のバッテリー電圧（残バッテリー電圧）が８Ｖよりも大きいと判定した場合（Ｓ４０２でＮＯと判定）、Ｓ４０２の判定へ戻る。
【００６７】
また、Ｓ４０２において、電源装置（＋Ｂ）５のバッテリー電圧（残バッテリー電圧）が８Ｖ以下であると判定した場合（Ｓ４０２でＹＥＳと判定）、２次電池６からオーディオ・レコーダ３への電源供給を電源装置（＋Ｂ）５からオーディオ・レコーダ３への電源供給に切り替え（Ｓ４０４）、本処理を終了する。
【００６８】
上記したように、電源制御装置２は、アクセサリスイッチがオフ状態になったと判定し、かつ、第１の電圧判定手段によって電源ラインＡの電圧が第１の閾値電圧以下であると判定した場合、電源ラインＡからオーディオ・レコーダ３への電源供給を強制停止するので、車載バッテリーのバッテリー上がりの可能性を低減することができる。
【００６９】
また、電源制御装置２は、アクセサリスイッチがオフ状態になったと判定し、かつ、オーディオ・レコーダ３への供給電圧が第２の閾値電圧としての８Ｖよりも大きいと判定した場合、一連の処理が終了したと判定するまでオーディオ・レコーダ３への電源供給を継続し、一連の処理が終了したと判定した場合、オーディオ・レコーダ３への電源供給を停止するので、例えば、録音機能を実現するための一連の処理を終了するまでオーディオ・レコーダ３への電源供給を継続し、録音機能を実現するための一連の処理が終了した場合、オーディオ・レコーダ３への電源供給を停止することができる。
【００７０】
また、電源制御装置２は、アクセサリスイッチがオフ状態になったと判定し、かつ、電源ラインの電圧が第２の閾値電圧としての８Ｖ以下であると判定した場合、一連の処理を停止させる操作があると判定するまでオーディオ・レコーダ３への電源供給を継続し、一連の処理を停止させる操作があると判定した場合、オーディオ・レコーダ３への電源供給を停止することができる。
【００７１】
また、電源制御装置２は、アクセサリスイッチがオフ状態になったと判定し、かつ、電源ラインＡの電圧が第２の閾値電圧としての８Ｖ以下であると判定され、かつ、一連の処理を継続させる操作があると判定された場合、バックアップ電源としての２次電池６からの電源供給に切り替えることができる。
【００７２】
また、電源制御装置２は、イグニッションスイッチがオン状態であると判定し、かつ、電源ラインＡの電圧が第２の閾値電圧としての８Ｖよりも大きいと判定された場合、オーディオ・レコーダ３への電源を電源ラインＡから供給することができる。
【００７３】
なお、上記実施形態において、スイッチ状態判定手段はＳ３００の処理に相当し、第１の電圧判定手段はＳ３１８の処理に相当し、電源供給停止手段はＳ３１４の処理に相当し、判定手段はＳ３０２に相当し、第２の閾値電圧判定手段はＳ３０４に相当し、停止操作判定手段はＳ３０８、Ｓ３１０の処理に相当し、停止手段はＳ３１２の処理に相当し、継続操作判定手段はＳ３０８、Ｓ３１０に相当し、切替手段はＳ３１６、Ｓ４０４に相当し、イグニッションスイッチ状態判定手段はＳ４００の処理に相当する。
【００７４】
なお、本発明は上記実施形態に限定されるものではなく、本発明の趣旨に基づいて種々なる形態で実施することができる。
【００７５】
例えば、上記実施形態では、一連の処理を終了することによって所定の機能を実現する例として、音楽データを録音する録音機能を示したが、録音機能に限定されるものではなく、例えば、無線通信手段を備え、この無線通信手段を介してインターネット上のサイトから所定のデータをダウンロードするような場合に適用してもよい。
【００７６】
また、上記実施形態において、電源制御装置２は、車両装置から入力される電源装置（＋Ｂ）５のバッテリー電圧を示す信号に基づいて、電源装置（＋Ｂ）５のバッテリー電圧（残バッテリー電圧）が８Ｖ以下であるか否か、あるいは６Ｖ以下であるか否かを判定する例を示したが、電源装置（＋Ｂ）５の電圧を直接検出して閾値電圧と比較判定してもよい。
【００７７】
また、実施形態において、第１の閾値電圧として６Ｖ、第２の閾値電圧として８Ｖを例に示したが、これらの値に限定されるものではない。
【図面の簡単な説明】
【００７８】
【図１】本発明の一実施形態に係る電源制御装置の概略構成を示す図である。
【図２】電源制御装置の作動を説明するためのシーケンス図である。
【図３】電源制御装置の作動を説明するためのシーケンス図である。
【図４】電源制御装置のフローチャートである。
【図５】電源制御装置による電源装置（＋Ｂ）からの電源供給に切り替える処理を示すフローチャートである。
【符号の説明】
【００７９】
１…車載オーディオ機器、２…電源制御装置、３…オーディオ・レコーダ、
５…電源装置、６…２次電池、７…発音装置、８…操作スイッチ群、９…表示装置、
３１…音響装置、３２…記憶装置。
【図１】
2005349900.tif 000003
【図２】
2005349900.tif 000004
【図３】
2005349900.tif 000005
【図４】
2005349900.tif 000006
【図５】
2005349900.tif 000007